(57)【要約】本発明は、端末識別子（ＵＥ−ＩＤ）と端末識別子の種類（ＵＥ−ＩＤ  ｔｙｐｅ）値の重複を避けることができるように、共用伝送チャネルを通して伝送されるプロトコルデータの構造及び伝送方式を新たに定義し、その定義された方式でプロトコルデータを伝送する。また、本発明は、一つのＴＴＩの間、一つの端末識別子（ＵＥ−ＩＤ）と端末識別子の種類（ＵＥ−ＩＤ  ｔｙｐｅ）値のみが付加されるようにすることで、データ伝送の効率性を高め、無線資源の浪費を大いに減らした。
2005536168.tif 000002
【特許請求の範囲】
【請求項１】
端末がプロトコルデータを処理する方法において、
一つの伝送時間区間（Ｔｒａｎｓｍｉｓｓｉｏｎ  Ｔｉｍｅ  Ｉｎｔｅｒｖａｌ；ＴＴＩ）の間に上位階層から受けた二つ以上のデータユニットを結合する段階と、
前記結合されたデータユニットに一つのヘッダーを付加する段階と、
を含むことを特徴とするプロトコルデータ処理方法。
【請求項２】
前記上位階層は、
特定端末の専用資源を管理するＭｅｄｉｕｍ  Ａｃｃｅｓｓ  Ｃｏｎｔｒｏｌ（ＭＡＣ）副階層であることを特徴とする請求項１記載のプロトコルデータ処理方法。
【請求項３】
前記ヘッダーが付加された結合データユニットをアップリンクチャネルを通して伝送する段階をさらに含むことを特徴とする請求項１記載のプロトコルデータ処理方法。
【請求項４】
前記アップリンクチャネルは、ランダムアクセスチャネルまたは専用チャネルであることを特徴とする請求項３記載のプロトコルデータ処理方法。
【請求項５】
前記アップリンクチャネルを通して伝送する段階は、インバンド（ｉｎ−ｂａｎｄ）で行われることを特徴とする請求項３記載のプロトコルデータ処理方法。
【請求項６】
前記ヘッダーは、端末識別情報からなることを特徴とする請求項１記載のプロトコルデータ処理方法。
【請求項７】
前記ヘッダーは、端末識別子（ＵＥ−ＩＤ）と端末識別子の種類（ＵＥ−ＩＤ  ｔｙｐｅ）とからなることを特徴とする請求項６記載のプロトコルデータ処理方法。
【請求項８】
無線通信の端末機において、
上位階層エンティティから送られた二つ以上のデータブロックを検出する段階と、
前記検出されたデータブロックを結合して結合されたデータブロックを形成する段階と、
前記結合されたデータブロックに一つのヘッダーを付加する段階と、
前記ヘッダーが付加されたデータブロックを下位階層に送る段階と、
を含むことを特徴とするデータブロック処理方法。
【請求項９】
前記上位階層エンティティは、
特定端末の専用資源を管理するＭＡＣエンティティであることを特徴とする請求項８記載のデータブロック処理方法。
【請求項１０】
前記検出段階は、一つの伝送時間区間（Ｔｒａｎｓｍｉｓｓｉｏｎ  Ｔｉｍｅ  Ｉｎｔｅｒｖａｌ；ＴＴＩ）の間に行われることを特徴とする請求項８記載のデータブロック処理方法。
【請求項１１】
前記各段階は、アップリンクチャネルを通して行われることを特徴とする請求項８記載のデータブロック処理方法。
【請求項１２】
前記アップリンクチャネルは、ランダムアクセスチャネルまたは専用チャネルであることを特徴とする請求項１１記載のデータブロック処理方法。
【請求項１３】
前記アップリンクチャネルを通して行われる段階は、インバンドで行われることを特徴とする請求項１１記載のデータブロック処理方法。
【請求項１４】
前記ヘッダーは、端末識別情報からなることを特徴とする請求項８記載のデータブロック処理方法。
【請求項１５】
前記ヘッダーは、端末識別子（ＵＥ−ＩＤ）と端末識別子の種類（ＵＥ−ＩＤ  ｔｙｐｅ）とからなることを特徴とする請求項１４記載のデータブロック処理方法。
【請求項１６】
無線通信において、
上位階層から複数のプロトコルデータユニットを受信する段階と、
前記受信されたプロトコルデータユニットを結合してＭＡＣペイロードを形成する段階と、
前記ＭＡＣペイロードに一つのヘッダーを付加してＭＡＣ  ＰＤＵを形成する段階と、
前記ＭＡＣ  ＰＤＵを下位階層に送る段階と、
を含むことを特徴とするプロトコルデータ処理方法。
【請求項１７】
前記上位階層は、
特定端末の専用資源を管理するＭＡＣ副階層であることを特徴とする請求項１６記載のプロトコルデータ処理方法。
【請求項１８】
前記結合段階は、一つの伝送時間区間（Ｔｒａｎｓｍｉｓｓｉｏｎ  Ｔｉｍｅ  Ｉｎｔｅｒｖａｌ；ＴＴＩ）の間に行われることを特徴とする請求項１６記載のプロトコルデータ処理方法。
【請求項１９】
前記各段階は、アップリンクチャネルを通して行われることを特徴とする請求項１６記載のプロトコルデータ処理方法。
【請求項２０】
前記アップリンクチャネルは、ランダムアクセスチャネルまたは専用チャネルであることを特徴とする請求項１９記載のプロトコルデータ処理方法。
【請求項２１】
前記アップリンクチャネルを通して行われる段階は、インバンドで行われることを特徴とする請求項１９記載のプロトコルデータ処理方法。
【請求項２２】
前記ヘッダーは、端末識別情報からなることを特徴とする請求項１６記載のプロトコルデータ処理方法。
【請求項２３】
前記ヘッダーは、端末識別子（ＵＥ−ＩＤ）と端末識別子の種類（ＵＥ−ＩＤ  ｔｙｐｅ）とからなることを特徴とする請求項２２記載のプロトコルデータ処理方法。
【請求項２４】
無線通信システムにおいて、
上位階層からＴｒａｎｓｍｉｓｓｉｏｎ  Ｔｉｍｅ  Ｉｎｔｅｒｖａｌ（ＴＴＩ）毎に複数のプロトコルデータユニットを受信する第１エンティティと、
前記受信されたプロトコルデータユニットを結合してＭＡＣ  ＳＤＵを形成し、ＭＡＣ  ＳＤＵに一つのヘッダーを付加してＭＡＣ  ＰＤＵを形成し、前記ＭＡＣ  ＰＤＵを下位階層に伝達する第２エンティティと、
を含むことを特徴とする使用者装置のためのＭＡＣ階層。
【請求項２５】
前記ＭＡＣ階層は、
特定端末の専用資源を管理するＭＡＣ副階層の下位に位置するＭＡＣ副階層であることを特徴とする請求項２４記載の使用者装置のためのＭＡＣ階層。
【請求項２６】
前記上位階層は、
特定端末の専用資源を管理するＭＡＣ副階層であることを特徴とする請求項２４記載の使用者装置のためのＭＡＣ階層。
【請求項２７】
移動通信において、
二つ以上のサービスデータユニット（ＳＤＵ）が結合されたペイロードと、それにヘッダーを付加して形成されたプロトコルデータユニット（ＰＤＵ）を生成し、一つのＴｒａｎｓｍｉｓｓｉｏｎ  Ｔｉｍｅ  Ｉｎｔｅｒｖａｌ（ＴＴＩ）に、前記ＰＤＵを下位階層に伝達する所定のプロトコル階層を含むことを特徴とする移動通信送信システム。
【請求項２８】
前記ヘッダーは、端末識別子（ＵＥ−ＩＤ）に関する情報を含むことを特徴とする請求項２７記載の移動通信送信システム。
【請求項２９】
前記ヘッダーは、前記端末識別子の種類に関する情報をさらに含むことを特徴とする請求項２８記載の移動通信送信システム。
【請求項３０】
前記ヘッダーは、論理チャネルに関する情報を含むことを特徴とする請求項２７記載の移動通信送信システム。
【請求項３１】
前記ＰＤＵは、共用伝送チャネルを通して下位階層に伝送されることを特徴とする請求項２７記載の移動通信送信システム。
【請求項３２】
前記ＳＤＵは、専用論理チャネルを通して上位階層から伝送されることを特徴とする請求項２７記載の移動通信送信システム。
【請求項３３】
前記ＳＤＵは、全て同一の目的地住所を有することを特徴とする請求項２７記載の移動通信送信システム。
【請求項３４】
前記プロトコル階層は、
特定端末の専用資源を管理するＭｅｄｉｕｍ  Ａｃｃｅｓｓ  Ｃｏｎｔｒｏｌ（ＭＡＣ）副階層であることを特徴とする請求項２７記載の移動通信送信システム。
【請求項３５】
前記ＭＡＣ副階層は、ＭＡＣ−ｃ／ｓｈ副階層で、前記ＰＤＵは、ＭＡＣ−ｃ／ｓｈ  ＰＤＵであることを特徴とする請求項３４記載の移動通信送信システム。
【請求項３６】
前記ＭＡＣ副階層は、Ｔｒａｎｓｍｉｓｓｉｏｎ  Ｔｉｍｅ  Ｉｎｔｅｒｖａｌ（ＴＴＩ）の間、一つのＰＤＵのみを下位階層に伝送することを特徴とする請求項３４記載の移動通信送信システム。
【請求項３７】
前記ＳＤＵは、ＭＡＣ−ｃ／ｓｈ  Ｓｅｒｖｉｃｅ  Ｄａｔａ  Ｕｎｉｔ（ＳＤＵ）であることを特徴とする請求項３４記載の移動通信送信システム。
【請求項３８】
前記ＰＤＵは、物理階層サービスを利用して受信側に伝達されることを特徴とする請求項２７記載の移動通信送信システム。
【請求項３９】
一つのＴｒａｎｓｍｉｓｓｉｏｎ  Ｔｉｍｅ  Ｉｎｔｅｒｖａｌ（ＴＴＩ）に対して二つ以上のサービスデータユニット（ＳＤＵ）を結合してペイロードを構成する段階と、
前記ペイロードにヘッダーを付加してプロトコルデータユニット（ＰＤＵ）を生成する段階と、
生成されたＰＤＵを下位階層に伝達する段階と、
物理階層サービスを通して、伝達されたＰＤＵを受信側に伝送する段階と、
を含むことを特徴とする移動通信システムにおけるプロトコルデータ伝送方法。
【請求項４０】
前記ヘッダーは、端末識別子（ＵＥ−ＩＤ）に関する情報を含むことを特徴とする請求項３９記載の移動通信システムにおけるプロトコルデータ伝送方法。
【請求項４１】
前記ヘッダーは、前記端末識別子の種類に関する情報をさらに含むことを特徴とする請求項４０記載の移動通信システムにおけるプロトコルデータ伝送方法。
【請求項４２】
前記ヘッダーは、論理チャネルに関する情報を含むことを特徴とする請求項３９記載の移動通信システムにおけるプロトコルデータ伝送方法。
【請求項４３】
前記ＰＤＵは、共用伝送チャネルを通して下位階層に伝送されることを特徴とする請求項３９記載の移動通信システムにおけるプロトコルデータ伝送方法。
【請求項４４】
前記複数の上位階層ＰＤＵは、専用論理チャネルを通して上位階層から伝送されることを特徴とする請求項３９記載の移動通信システムにおけるプロトコルデータ伝送方法。
【請求項４５】
前記上位階層ＰＤＵは、全て同一の目的地住所を有することを特徴とする請求項３９記載の移動通信システムにおけるプロトコルデータ伝送方法。
【請求項４６】
前記上位階層ＰＤＵは、ＭＡＣ−ｃ／ｓｈ  Ｓｅｒｖｉｃｅ  Ｄａｔａ  Ｕｎｉｔ（ＳＤＵ）であることを特徴とする請求項３９記載の移動通信システムにおけるプロトコルデータ伝送方法。
【請求項４７】
一つのＴｒａｎｓｍｉｓｓｉｏｎ  Ｔｉｍｅ  Ｉｎｔｅｒｖａｌ（ＴＴＩ）で、下位階層から一つのプロトコルデータユニット（ＰＤＵ）の伝達を受け、伝達されたＰＤＵからヘッダーを検出し、複数の上位階層ＰＤＵから構成されたペイロードを分解する所定のプロトコル階層を含むことを特徴とする移動通信受信システム。
【請求項４８】
前記上位階層は、
特定端末の専用資源を管理するＭＡＣ副階層であることを特徴とする請求項４７記載の移動通信受信システム。
【請求項４９】
一つのＴｒａｎｓｍｉｓｓｉｏｎ  Ｔｉｍｅ  Ｉｎｔｅｒｖａｌ（ＴＴＩ）で、下位階層からプロトコルデータユニット（ＰＤＵ）を一つずつ伝達される段階と、
伝達されたＰＤＵをヘッダーとペイロードとに分離する段階と、
前記ペイロードのＳｅｒｖｉｃｅ  Ｄａｔａ  Ｕｎｉｔ（ＳＤＵ）の結合を分解する段階と、
分解されたＳＤＵを上位階層に伝達する段階と、
を含むことを特徴とする移動通信システムにおけるプロトコルデータ伝送方法。
【請求項５０】
前記ヘッダーは、端末識別子（ＵＥ−ＩＤ）に関する情報を含むことを特徴とする請求項４９記載の移動通信システムにおけるプロトコルデータ伝送方法。
【請求項５１】
前記ヘッダーは、前記端末識別子の種類に関する情報をさらに含むことを特徴とする請求項５０記載の移動通信システムにおけるプロトコルデータ伝送方法。
【請求項５２】
前記ヘッダーに端末識別子情報が含まれている場合、前記端末識別子が受信側の端末識別子と一致するかを検査することを特徴とする請求項４９記載の移動通信システムにおけるプロトコルデータ伝送方法。
【請求項５３】
二つの端末識別子が一致すると、分解された上位階層ＰＤＵを前記ヘッダー情報が指示する上位階層エンティティにそれぞれ伝達することを特徴とする請求項５２記載の移動通信システムにおけるプロトコルデータ伝送方法。
【請求項５４】
二つの端末識別子が一致すると、分解された上位階層ＰＤＵを、前記ヘッダー情報が指示する論理チャネルを通して上位階層に伝達することを特徴とする請求項５２記載の移動通信システムにおけるプロトコルデータ伝送方法。
【請求項５５】
前記二つの端末識別子が一致しないと、前記伝達されたＰＤＵを廃棄することを特徴とする請求項５２記載の移動通信システムにおけるプロトコルデータ伝送方法。
【発明の詳細な説明】
【技術分野】
【０００１】
本発明は、無線通信システムのデータ伝送に関し、特に、無線通信システムに同一チャネルを通して伝達するためのデータユニットの処理に関する。
【背景技術】
【０００２】
最近、移動通信システムが飛躍的な発展をしてきたが、大容量のデータ通信サービスにおいて、まだ既存の有線通信システムの性能に追いついていない。そこで、世界各国の企業及び機関は、大量のデータ通信を可能にする通信システム、ＩＭＴ−２０００の技術開発を推進しており、その技術の標準化のための国家相互間の協力が活発に進行されている。
【０００３】
ヨーロッパ式ＩＭＴ−２０００システムであるＵｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）は、ヨーロッパ式移動通信標準であるＧｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）システムから進化した第３世代移動通信システムであって、ＧＳＭコアネットワーク（Ｃｏｒｅ  Ｎｅｔｗｏｒｋ）及びＷ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）接続技術を基盤として、一層向上した通信サービスの提供を目標とする。
【０００４】
ＵＭＴＳの標準化作業のために、１９９８年１２月にヨーロッパのＥＴＳＩ、日本国のＡＲＩＢ／ＴＴＣ、米国のＴ１及び大韓民国のＴＴＡなどは、第３世代共同プロジェクト（Ｔｈｉｒｄ  Ｇｅｎｅｒａｔｉｏｎ  Ｐａｒｔｎｅｒｓｈｉｐ  Ｐｒｏｊｅｃｔ；以下、「３ＧＰＰ」と記す）というプロジェクトを構成し、現在までＵＭＴＳの細部的な標準明細書（Ｓｐｅｃｉｆｉｃａｔｉｏｎ）を作成中にある。
【０００５】
３ＧＰＰでは、ＵＭＴＳの迅速且つ効率的な技術開発のために、ネットワーク構成要素及びこれらの動作に対する独立性を考慮して、ＵＭＴＳの標準化作業を五つのＴｅｃｈｎｉｃａｌ  Ｓｐｅｃｉｆｉｃａｔｉｏｎ  Ｇｒｏｕｐｓ（ＴＳＧ）に分けて進行している。
【０００６】
各ＴＳＧは、関連した領域内で標準規格の開発、承認及びその管理を担当するが、これらのうち、Ｒａｄｉｏ  Ａｃｃｅｓｓ  Ｎｅｔｗｏｒｋ（ＲＡＮ）グループ（以下、「ＴＳＧ  ＲＡＮ」と記す）は、ＵＭＴＳでＷ−ＣＤＭＡ接続技術を支援するための新しい無線接続ネットワークであるＵＭＴＳ  Ｔｅｒｒｅｓｔｒｉａｌ  Ｒａｄｉｏ  Ａｃｃｅｓｓ  Ｎｅｔｗｏｒｋ（以下、「ＵＴＲＡＮ」と記す）の機能、要求事項及びインターフェースに関する規格を開発する。
【０００７】
図１は、一般のＵＭＴＳネットワークの構成図である。図１に示すように、ＵＭＴＳシステムは、大きく端末（ｏｒ  Ｕｓｅｒ  Ｅｑｕｉｐｍｅｎｔ（ＵＥ））、ＵＴＲＡＮ１００及びコアネットワーク２００からなっている。
【０００８】
前記ＵＴＲＡＮ１００は、一つ以上のＲａｄｉｏ  Ｎｅｔｗｏｒｋ  Ｓｕｂ−ｓｙｓｔｅｍｓ（ＲＮＳ）１１０、１２０から構成される。また、各ＲＮＳ１１０、１２０は、Ｒａｄｉｏ  Ｎｅｔｗｏｒｋ  Ｃｏｎｔｒｏｌｌｅｒ（ＲＮＣ）１１１と、前記ＲＮＣ１１１により管理される複数のＮｏｄｅ−Ｂ１１２、１１３と、から構成される。前記ＲＮＣ１１１は、無線資源の割当及び管理を担当し、コアネットワーク２００とのアクセスポイントの役割を担当する。
【０００９】
前記Ｎｏｄｅ−Ｂ１１２、１１３は、アップリンクを通して端末の物理階層から送られる情報を受信し、ダウンリンクを通して端末にデータを送信する。前記Ｎｏｄｅ−Ｂ１１２、１１３は、端末に対するＵＴＲＡＮ１００のアクセスポイントの役割を担当する。
【００１０】
前記ＵＴＲＡＮ１００の主な機能は、端末とコアネットワーク２００間の通話のために、Ｒａｄｉｏ  Ａｃｃｅｓｓ  Ｂｅａｒｅｒ（ＲＡＢ）を構成し維持することである。前記コアネットワーク２００は、終端間（ｅｎｄ−ｔｏ−ｅｎｄ）のＱｕａｌｉｔｙ  ｏｆ  Ｓｅｒｖｉｃｅ（ＱｏＳ）要求事項をＲＡＢに適用し、ＲＡＢは、コアネットワーク２００が設定したＱｏＳ要求事項を支援する。このように、ＵＴＲＡＮ１００がＲＡＢを構成し維持することにより、終端間のＱｏＳ要求が満たされる。前記ＲＡＢサービスは、再び下位概念のｌｕ  Ｂｅａｒｅｒ  ＳｅｒｖｉｃｅとＲａｄｉｏ  Ｂｅａｒｅｒ  Ｓｅｒｖｉｃｅとに分けることができる。前記ｌｕ  Ｂｅａｒｅｒ  Ｓｅｒｖｉｃｅは、ＵＴＲＡＮ１００とコアネットワーク２００の境界ノード間で、信頼性ある使用者データの伝送を支援する。
【００１１】
前記コアネットワーク２００は、回線交換サービスを支援するためのＭｏｂｉｌｅ  Ｓｗｉｔｃｈｉｎｇ  Ｃｅｎｔｅｒ（ＭＳＣ）２１０と、これに連結されたＧａｔｅｗａｙ  Ｍｏｂｉｌｅ  Ｓｗｉｔｃｈｉｎｇ  Ｃｅｎｔｅｒ（ＧＭＳＣ）２２０と、パケット交換サービスを支援するためのＳｅｒｖｉｎｇ  ＧＰＲＳ  Ｓｕｐｐｏｒｔ  Ｎｏｄｅ（ＳＧＳＮ）２３０と、これに連結されたＧＧＳＮ（Ｇａｔｅｗａｙ  ＧＰＲＳ  Ｓｕｐｐｏｒｔ  Ｎｏｄｅ）２４０と、から構成される。
【００１２】
特定端末に提供されるサービスは、大きく回線交換サービスとパケット交換サービスとに区分されるが、例えば、一般の音声通話サービスは、回線交換サービスに分類され、インターネット接続を通してのウェブブラウジングサービスは、パケット交換サービスに分類される。
【００１３】
回線交換サービスを支援するとき、前記ＲＮＣ１１１は、コアネットワーク２００のＭＳＣ２１０と連結され、前記ＭＳＣ２１０は、他のネットワークとの接続を管理するＧＭＳＣ２２０と連結される。
【００１４】
パケット交換サービスを支援するとき、前記ＲＮＣ１１１は、コアネットワーク２００のＳＧＳＮ２３０及びＧＧＳＮ２４０と連係してサービスを提供する。前記ＳＧＳＮ２３０は、ＲＮＣ１１１に向かうパケット通信を支援し、前記ＧＧＳＮ２４０は、インターネットネットワークなど他のパケット交換ネットワークへの連結を管理する。
【００１５】
ネットワーク構成要素相互間には、各種の信号及び情報を交換できる多様なインターフェースが存在し、ＲＮＣ１１１とコアネットワーク２００間のインターフェースをＩｕインターフェースという。特に、前記ＲＮＣ１１１とコアネットワーク２００のパケット交換関連システム間のＩｕインターフェースを「Ｉｕ−ＰＳ」といい、ＲＮＣ１１１とコアネットワーク２００の回線交換関連システム間のＩｕインターフェースを「Ｉｕ−ＣＳ」という。
【００１６】
図２は、３ＧＰＰ無線接続ネットワーク規格によって、端末とＵＴＲＡＮ１００間の無線インターフェース（Ｒａｄｉｏ  Ｉｎｔｅｒｆａｃｅ）プロトコルの構造を示す。
【００１７】
図２に示すように、無線インターフェースプロトコルは、物理階層、データリンク階層及びネットワーク階層からなる水平階層があり、使用者データの伝送のための使用者平面（Ｕ−Ｐｌａｎｅ）及び制御情報の伝送のための制御平面（Ｃ−Ｐｌａｎｅ）からなる垂直平面がある。
【００１８】
使用者平面は、音声及びＩＰパケットのような使用者のトラフィック情報を扱う領域であり、制御平面は、ネットワークのインターフェースや号の維持及び管理などのための制御情報を扱う領域である。
【００１９】
図２のプロトコル階層は、Ｏｐｅｎ  Ｓｙｓｔｅｍ  Ｉｎｔｅｒｃｏｎｎｅｃｔｉｏｎ（ＯＳＩ）基準モデルの下位の三つの階層に基づいたもので、第１階層（Ｌ１）、第２階層（Ｌ２）及び第３階層（Ｌ３）に分けられる。以下、前記図２の各階層（Ｌ１、Ｌ２及びＬ３）を説明する。
【００２０】
Ｌ１階層、即ち、物理階層は、多様な無線伝送技術を利用して、上位階層に情報伝送サービス（Ｉｎｆｏｒｍａｔｉｏｎ  Ｔｒａｎｓｆｅｒ  Ｓｅｒｖｉｃｅ）を提供する。物理階層は、伝送チャネル（Ｔｒａｎｓｐｏｒｔ  Ｃｈａｎｎｅｌ）により、上位階層のＭｅｄｉｕｍ  Ａｃｃｅｓｓ  Ｃｏｎｔｒｏｌ（ＭＡＣ）階層と連結されている。これらのＭＡＣ階層及び物理階層は、前記伝送チャネルを通して互いに情報を交換する。
【００２１】
Ｌ２階層は、ＭＡＣ階層、Ｒａｄｉｏ  Ｌｉｎｋ  Ｃｏｎｔｒｏｌ（ＲＬＣ）階層、Ｂｒｏａｄｃａｓｔ／Ｍｕｌｔｉｃａｓｔ  Ｃｏｎｔｒｏｌ（ＢＭＣ）階層、及びＰａｃｋｅｔ  Ｄａｔａ  Ｃｏｎｖｅｒｇｅｎｃｅ  Ｐｒｏｔｏｃｏｌ（ＰＤＣＰ）階層から構成される。
【００２２】
ＭＡＣ階層は、無線資源の割当及び再割当のために、ＭＡＣパラメータの割当サービスを提供し、論理チャネルを通して、上位階層のＲＬＣ階層と連結されている。
【００２３】
伝送される情報の種類によって多様な論理チャネルが提供される。一般に、制御平面の情報を伝送する場合は、制御チャネルを利用し、使用者平面の情報を伝送する場合は、トラフィックチャネルを利用する。
【００２４】
前記ＭＡＣ階層は、管理する伝送チャネルの種類によって、ＭＡＣ−ｂ副階層（Ｓｕｂｌａｙｅｒ）、ＭＡＣ−ｄ副階層、ＭＡＣ−ｃ／ｓｈ副階層及びＭＡＣ−ｈｓ副階層に区分される。
【００２５】
前記ＭＡＣ−ｂ副階層は、システム情報の放送を担当する伝送チャネルであるＢＣＨ（Ｂｒｏａｄｃａｓｔ  Ｃｈａｎｎｅｌ）を管理する。
【００２６】
前記ＭＡＣ−ｄ副階層は、特定端末に対する専用伝送チャネルであるＤｅｄｉｃａｔｅｄ  Ｃｈａｎｎｅｌ（ＤＣＨ）を管理する。従って、ＵＴＲＡＮのＭＡＣ−ｄ副階層は、該当端末を管理するＳｅｒｖｉｎｇ  Ｒａｄｉｏ  Ｎｅｔｗｏｒｋ  Ｃｏｎｔｒｏｌｌｅｒ（ＳＲＮＣ）に位置し、各端末（ＵＥ）にも一つのＭＡＣ−ｄ副階層が存在する。
【００２７】
前記ＭＡＣ−ｃ／ｓｈ副階層は、他の端末と共有するＦｏｒｗａｒｄ  Ａｃｃｅｓｓ  Ｃｈａｎｎｅｌ（ＦＡＣＨ）やＤｏｗｎｌｉｎｋ  Ｓｈａｒｅｄ  Ｃｈａｎｎｅｌ（ＤＳＣＨ）などの共有伝送チャネルを管理する。ＵＴＲＡＮでＭＡＣ−ｃ／ｓｈ副階層は、Ｃｏｎｔｒｏｌｌｉｎｇ  Ｒａｄｉｏ  Ｎｅｔｗｏｒｋ  Ｃｏｎｔｒｏｌｌｅｒ（ＣＲＮＣ）に位置し、セル内の全ての端末が共有するチャネルを管理するので、各セルに一つだけ存在する。また、各端末にも一つのＭＡＣ−ｃ／ｓｈ副階層が存在する。
【００２８】
前記ＭＡＣ−ｈｓ副階層は、高速データ伝送のためのダウンリンク伝送チャネルＨＳ−ＤＳＣＨ（Ｈｉｇｈ  Ｓｐｅｅｄ  Ｄｏｗｎｌｉｎｋ  Ｓｈａｒｅｄ  Ｃｈａｎｎｅｌ）を管理する。ＵＴＲＡＮでＭＡＣ−ｈｓ副階層は、セル当たり一つずつＮｏｄｅ−Ｂに位置し、各端末にもＭＡＣ−ｈｓ副階層が一つずつ存在する。
【００２９】
前記ＲＬＣ階層は、信頼性あるデータの伝送を支援し、上位階層から伝達されたＲＬＣ  Ｓｅｒｖｉｃｅ  Ｄａｔａ  Ｕｎｉｔ（ＲＬＣ  ＳＤＵ）の分割及び連結（Ｓｅｇｍｅｎｔａｔｉｏｎ  ａｎｄ  Ｃｏｎｃａｔｅｎａｔｉｏｎ）機能を行う。また、ＲＬＣ階層は、上位階層からＲＬＣ  ＳＤＵが伝達されると、各ＲＬＣ  ＳＤＵの大きさを処理容量に適合するように調節した後、ヘッダー情報を付加した所定のデータユニットを生成する。このように生成されたデータユニットをＰｒｏｔｏｃｏｌ  Ｄａｔａ  Ｕｎｉｔ（ＰＤＵ）といい、これらのＰＤＵは、前記ＭＡＣ階層に伝達される。ＲＬＣ階層には、ＲＬＣ  ＳＤＵまたはＲＬＣ  ＰＤＵを保存するためのＲＬＣバッファが存在する。
【００３０】
前記ＢＭＣ階層は、コアネットワークから伝達されたＣｅｌｌ  Ｂｒｏａｄｃａｓｔ  Ｍｅｓｓａｇｅ（以下、「ＣＢメッセージ」と記す）をスケジューリングし、これらのＣＢメッセージを特定セル（ら）に位置した各端末に放送されるようにする。ＵＴＲＡＮのＢＭＣ階層は、上位階層から伝達されたＣＢメッセージに、メッセージＩＤ、シリアルナンバー、コーディングスキームなどの情報を付加してＢｒｏａｄｃａｓｔ／Ｍｕｌｔｉｃａｓｔ  Ｃｏｎｔｒｏｌ（ＢＭＣ）メッセージを生成した後、ＲＬＣ階層に伝達する。ＢＭＣメッセージは、ＲＬＣ階層から論理チャネルＣＴＣＨ（Ｃｏｍｍｏｎ  Ｔｒａｆｆｉｃ  Ｃｈａｎｎｅｌ）を通してＭＡＣ階層に伝達される。論理チャネルＣＴＣＨは、伝送チャネルＦＡＣＨにマッピングされ、これは、再び物理チャネルＳ−ＣＣＰＣＨ（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ）にマッピングされる。
【００３１】
前記ＰＤＣＰ階層は、ＲＬＣ階層の上位階層であって、ＩＰｖ４やＩＰｖ６のようなネットワークプロトコルを通して伝送されるデータが、帯域幅が相対的に小さい無線インターフェース上で效率的に伝送されることができるようにする。このために、ＰＤＣＰ階層は、有線ネットワークで用いられる不要な制御情報を減らす機能を行うが、このような機能をヘッダー圧縮という。
【００３２】
Ｌ３階層の最下部には、Ｒａｄｉｏ  Ｒｅｓｏｕｒｃｅ  Ｃｏｎｔｒｏｌ（ＲＲＣ）階層がある。前記ＲＲＣ階層は、制御平面だけで定義され、無線運搬者（Ｒａｄｉｏ  Ｂｅａｒｅｒ）の設定、再設定及び解除と関連して、論理チャネル、伝送チャネル及び物理チャネルの制御を担当する。前記無線運搬者サービスは、端末とＵＴＲＡＮ間のデータ伝送のために第２階層が提供するサービスを意味し、一般に、無線運搬者が設定されるということは、特定サービスを提供するために必要なプロトコル階層及びチャネルの特性を規定し、それぞれの具体的なパラメータ及び動作方法を設定することを意味する。
【００３３】
ＲＬＣ階層は、上位に何れの階層が連結されているかによって、使用者平面に属することもでき、制御平面に属することもできる。即ち、ＲＬＣ階層がＲＲＣ階層からデータの伝達を受けると制御平面に属し、その他の場合は使用者平面に属する。
【００３４】
以下、前記ＭＡＣヘッダーについてより詳しく説明する。図３は、一般のＵＴＲＡＮのＭＡＣ階層構造図である。また、図４乃至図７は、端末とＵＴＲＡＮにあるＭＡＣ−ｄ及びＭＡＣ−ｃ／ｓｈ副階層の構造を示す図である。各図に示された四角のブロックは、ＭＡＣ階層の各機能を表示したものである。主要機能は後述する。
【００３５】
一般に、プロトコルエンティティ（ｅｎｔｉｔｙ）は、ＳＤＵ（Ｓｅｒｖｉｃｅ  Ｄａｔａ  Ｕｎｉｔ）の形でデータパケットを受け、ＰＤＵ（Ｐｒｏｔｏｃｏｌ  Ｄａｔａ  Ｕｎｉｔ）の形でデータパケットを送る。例えば、アップリンクに対するＵＥでは、ＲＬＣ階層はデータパケット（ＲＬＣ  ＰＤＵ）を論理チャネルを通してＭＡＣ階層に送る。ＲＬＣ階層が送ったＲＬＣ  ＰＤＵは、ＭＡＣ階層でＭＡＣ  ＳＤＵの形で受ける。ＭＡＣ階層は、該ＭＡＣ  ＳＤＵを追加で処理してＭＡＣ  ＰＤＵを生成し、伝送チャネルを通して物理階層に送る。
【００３６】
ＭＡＣ階層では、一つのＴＴＩの間に伝送チャネルを通して物理階層に伝達される全てのＭＡＤ  ＰＤＵは、ＴＢＳ（Ｔｒａｎｓｐｏｒｔ  Ｂｌｏｃｋ  Ｓｅｔ）と定義される。一つのＴＢＳは、一つ以上のトランスポートブロック（即ち、データブロック）からなり、それぞれ一つのＭＡＣ  ＰＤＵを含む。トランスポートブロックは、ＲＬＣ階層から送られた順序によって伝送されることができる。ＭＡＣ階層が他の論理チャネルからのＲＬＣ  ＰＤＵを多重化するとき、同一論理チャネルからの全てのトランスポートブロックの順序は、ＲＬＣ階層から送られた順序と同じであり得る。一つのＴＢＳ内で他の論理チャネルの順序は、ＭＡＣプロトコルにより設定される。
【００３７】
ＭＡＣ階層は、ＵＥと論理チャネル間の識別（Ｉｄｅｎｔｉｆｉｃａｔｉｏｎ）機能を行う。このような機能があるべき理由は、第一に、共用伝送チャネルは複数のＵＥが共有して使用するので、ＵＥに対する識別が必要であるためであり、第二に、論理チャネルの多重化によってそれぞれの論理チャネルに対する識別が必要であるためである。アップリンクの場合、識別がなければ、受信側（例えば、ＵＴＲＡＮ）は何れのＵＥがデータユニットを送ったか、及びデータユニットを送る何れの論理チャネルが使用されたかが分からない。
【００３８】
ＭＡＣ階層は、識別のために、ＴＣＴＦ（Ｔａｒｇｅｔ  Ｃｈａｎｎｅｌ  Ｔｙｐｅ  Ｆｉｅｌｄ）、ＵＥ−ＩＤ、ＵＥ−ＩＤ  ｔｙｐｅ及びＣ／Ｔ（Ｃｏｎｔｒｏｌ／Ｔｒａｆｆｉｃ）フィールドのうち一部または全体を追加してＭＡＣ  ＰＤＵのヘッダーを構成する。従来技術においては、前記ＭＡＣヘッダーは、それぞれのＭＡＣ  ＳＤＵ毎に付加される。即ち、同一伝送時間間隔（ＴＴＩ；Ｔｒａｎｓｍｉｓｓｉｏｎ  Ｔｉｍｅ  Ｉｎｔｅｒｖａｌ）の間に伝送されるＭＡＣ  ＳＤＵ同士も互いに異なるＭＡＣヘッダーを有する。図８は、ＭＡＣ  ＰＤＵのフォーマットを示している。
【００３９】
ＵＥに対する識別は、ＤＣＣＨやＤＴＣＨのような専用論理チャネルがＲＡＣＨ、ＦＡＣＨ、ＣＰＣＨ、ＤＳＣＨ、ＵＳＣＨのような共用伝送チャネルにマッピングされるときに必要である。このために、ＭＡＣ階層は、ヘッダーのＵＥ−ＩＤフィールドにＵＥに対する識別情報である無線ネットワーク臨時識別子（Ｒａｄｉｏ  Ｎｅｔｗｏｒｋ  Ｔｅｍｐｏｒａｒｙ  Ｉｄｅｎｔｉｆｉｅｒ；ＲＮＴＩ）を追加して伝送する。このとき、ＲＮＴＩの種類としては、Ｕ−ＲＮＴＩ（ＵＴＲＡＮ  ＲＮＴＩ）、Ｃ−ＲＮＴＩ（Ｃｅｌｌ  ＲＮＴＩ）及びＤＳＣＨ−ＲＮＴＩの三つがあるので、何れのＲＮＴＩが使用されたかを知らせるＵＥ−ＩＤ  ｔｙｐｅフィールドもヘッダーの一部に追加して伝送する。
【００４０】
論理チャネルに対する識別は、ＴＣＴＦフィールドを通しての識別とＣ／Ｔフィールドを通しての識別の二種類がある。前記ＴＣＴＦは、ＤＣＣＨ及びＤＴＣＨのような専用論理チャネルが他の論理チャネルと共にマッピングされることができる伝送チャネルで必要とする。即ち、ＦＤＤ（Ｆｒｅｑｕｅｎｃｙ  Ｄｏｍａｉｎ  Ｄｕｐｌｅｘ）の場合、ＴＣＴＦはＲＡＣＨ及びＦＡＣＨでだけ必要とし、ＴＤＤ（Ｔｉｍｅ  Ｄｏｍａｉｎ  Ｄｕｐｌｅｘ）の場合、前記ＴＣＴＦはＵＳＣＨ及びＤＳＣＨでも必要とする。
【００４１】
ＦＤＤの場合についてだけ説明すると、ＦＡＣＨのＴＣＴＦは、マッピングされた論理チャネルがＢＣＣＨであるか、ＣＣＣＨであるか、ＣＴＣＨであるか、または専用論理チャネル（ＤＣＣＨ或いはＤＴＣＨ）であるかを識別し、ＲＡＣＨのＴＣＴＦは、マッピングされた論理チャネルがＣＣＣＨであるか、専用論理チャネルであるかを識別する。このとき、ＴＣＴＦは、専用チャネルそれぞれに対する識別は行わない。
【００４２】
専用論理チャネル間の識別は、Ｃ／Ｔフィールドを通して行われる。その理由は、第一に、専用論理チャネルは、他の論理チャネルとは異なって一つの伝送チャネルに複数個がマッピングされることができるためであり、第二に、専用論理チャネルは、前記ＳＲＮＣにあるＭＡＣ−ｄで処理するに対し、他の論理チャネルは、前記ＣＲＮＣにあるＭＡＣ−ｃ／ｓｈで処理するためである。
【００４３】
一つの伝送チャネルにマッピングされる複数の専用論理チャネルは、それぞれ論理チャネル識別子（Ｌｏｇｉｃａｌ  ｃｈａｎｎｅｌ  ｉｄｅｎｔｉｔｉｆｉｅｒ）を有し、この値がＣ／Ｔフィールド値として使用される。仮りに、伝送チャネル内に専用論理チャネルが一つだけ存在すれば、Ｃ／Ｔフィールドは使用されない。
【００４４】
下記表１は、ＦＤＤの場合、論理チャネルと伝送チャネルのマッピング関係によるＭＡＣヘッダーの情報を示している。下記表１の「Ｃ／Ｔフィールド」は、専用論理チャネル（ＤＣＣＨまたはＤＴＣＨ）が複数個マッピングされるときだけ存在し、「Ｎ」表示は、何らのヘッダーがないことを意味し、「−」表示は、マッピング関係がないことを意味する。また、ＵＥ−ＩＤフィールドは常にＵＥ−ＩＤ  ｔｙｐｅフィールドと共に存在するので、表１には「ＵＥ−ＩＤ」だけで表記した。
（表１）
【００４５】
【表１】
2005536168.tif 000003
従来技術において、ＤＴＣＨまたはＤＣＣＨ論理チャネルが特定の伝送チャネル（ＲＡＣＨ、ＦＡＣＨ、ＤＳＣＨ、ＣＰＣＨ）にマッピングされるとき、ＭＡＣ階層により全てのＭＡＣ  ＳＤＵのヘッダーに端末識別子（ＵＥ−ＩＤ）及び端末識別子の種類（ＵＥ−ＩＤ  ｔｙｐｅ）を付加する。
【００４６】
このような方式で、一つのＴＴＩの間に一つ以上のＭＡＣ  ＳＤＵが伝送されるとき、同一のＭＡＣヘッダーが各ＭＡＣ  ＳＤＵ毎に付加されると、従来の技術方式は、一つのＴＴＩの間に全てのＭＡＣ  ＳＤＵに同一のＭＡＣヘッダーを重複的に付加する。特に、ＤＴＣＨまたはＤＣＣＨデータがＲＡＣＨのような共用伝送チャネルを通して伝送されると、１６または３２ビットの端末識別子（ＵＥ−ＩＤ）フィールド及び２ビットの端末識別子の種類（ＵＥ−ＩＤ  ｔｙｐｅ）フィールドが全てのＭＡＣ  ＳＤＵに重複的に付加される。
【００４７】
本発明者らは、各ＭＡＣ  ＳＤＵのヘッダーに同一のＵＥ−ＩＤ及びＵＥ−ＩＤ  ｔｙｐｅを追加することが重複的で且つ不要であるという従来技術の欠点を認識した。従って、プロトコルデータユニットを伝送するにおける重複性のために、従来技術は非常に非効率的で且つ多くの無線資源を浪費する。
【発明の開示】
【発明が解決しようとする課題】
【００４８】
そこで、本発明の目的は、ヘッダー情報の重複を避けるために、同一チャネルを通して伝達される二つ以上のＳＤＵを一つのＰＤＵに結合して、一つのヘッダーを有する一つのＰＤＵを形成する移動通信システムのデータ伝送方法を提供することにある。
【課題を解決するための手段】
【００４９】
このような目的を達成するために、本発明に係る移動通信システムは、一つ以上のサービスデータユニットが結合（Ｃｏｎｃａｔｅｎａｔｉｏｎ）されたペイロード（Ｐａｙｌｏａｄ）、及びそれにヘッダーが付加されたプロトコルデータユニット（ＰＤＵ）を生成し、Ｔｒａｎｓｍｉｓｓｉｏｎ  Ｔｉｍｅ  Ｉｎｔｅｒｖａｌ（ＴＴＩ）で前記ＰＤＵを下位階層に伝達する所定のプロトコル階層を含んで構成される。
【００５０】
好ましくは、ＳＤＵは、プロトコルデータユニットの上位階層から受ける。
【００５１】
好ましくは、前記サービスデータユニットは、全て同一の目的地住所を有することを特徴とする。
【００５２】
好ましくは、ＳＤＵは、同一伝送チャネルを通して伝達される。
【００５３】
好ましくは、前記プロトコル階層は、専用資源を管理するＭｅｄｉｕｍ  Ａｃｃｅｓｓ  Ｃｏｎｔｒｏｌ（ＭＡＣ）副階層の下に位置するＭｅｄｉｕｍ  Ａｃｃｅｓｓ  Ｃｏｎｔｒｏｌ（ＭＡＣ）副階層であることを特徴とする。
【００５４】
好ましくは、前記プロトコル階層は、共用資源を管理するＭｅｄｉｕｍ  Ａｃｃｅｓｓ  Ｃｏｎｔｒｏｌ（ＭＡＣ）副階層であることを特徴とする。
【００５５】
好ましくは、前記ヘッダーは、端末識別子（ＵＥ−ＩＤ）に関する情報をさらに含むことを特徴とする。
【００５６】
好ましくは、前記ヘッダーは、端末識別子の種類（ＵＥ−ＩＤ  ｔｙｐｅ）に関する情報をさらに含むことを特徴とする。
【００５７】
好ましくは、前記ヘッダーは、論理チャネルに関する情報を含む。
【００５８】
前述したような目的を達成するために、本発明に係る移動通信システムは、ＴＴＩで下位階層からＰＤＵを受け、受けたＰＤＵからヘッダーを検出し、一つ以上のＳＤＵから構成されたペイロードを分解するプロトコル階層からなる。
【００５９】
好ましくは、ＳＤＵは、同一伝送チャネルを通して伝達される。   
【００６０】
好ましくは、前記プロトコル階層は、専用資源を管理するＭｅｄｉｕｍ  Ａｃｃｅｓｓ  Ｃｏｎｔｒｏｌ（ＭＡＣ）副階層の下に位置するＭｅｄｉｕｍ  Ａｃｃｅｓｓ  Ｃｏｎｔｒｏｌ（ＭＡＣ）副階層であることを特徴とする。
【００６１】
好ましくは、前記プロトコル階層は、共用資源を管理するＭｅｄｉｕｍ  Ａｃｃｅｓｓ  Ｃｏｎｔｒｏｌ（ＭＡＣ）副階層であることを特徴とする。
【００６２】
好ましくは、ヘッダーに端末識別子があると、プロトコル階層は、前記端末識別子がプロトコル階層の属する端末識別子と一致するかを検査し、両方の識別子が一致すると、ヘッダー情報が指示する上位階層に分解されたＳＤＵを送る。一致しないと、受けたＰＤＵを廃棄する。
【００６３】
前述したような目的を達成するために、本発明に係るプロトコルデータ伝送方法は、複数の上位階層プロトコルデータユニット（ＰＤＵ）を結合してペイロードを構成する段階と、前記ペイロードにヘッダーを付加してＰＤＵを生成する段階と、一つのＴｒａｎｓｍｉｓｓｉｏｎ  Ｔｉｍｅ  Ｉｎｔｅｒｖａｌ（ＴＴＩ）に、生成されたＰＤＵを一つずつ下位階層に伝達する段階と、物理階層サービスを通して、生成されたＰＤＵを受信側に伝送する段階と、を含む。
【００６４】
前述したような目的を達成するために、本発明に係るプロトコルデータ受信方法は、ＴＴＩで下位階層から一つのＰＤＵを受け、前記ＰＤＵをヘッダーとペイロードとに分離して、ペイロードを一つ以上のＳＤＵに分解し、分解されたＳＤＵを上位階層に送る段階と、を含む。
【００６５】
本発明の他の利点、目的及び特徴は以下の詳細な説明に記載し、当業者は以下の内容を検討、または本発明を実施することによってその内容が分かるはずである。本発明の目的及び利点は、添付された請求の範囲に明示されたように実現することによって得られる。本発明に関する以上の一般的な説明及び以下の詳細な説明は、実施例を提示して説明するためのもので、請求された発明について追加的な説明をするために記載されたものであることが明らかである。
【発明を実施するための最良の形態】
【００６６】
以下、単に例示的な目的で、特定のＭＡＣ階層エンティティ、即ち、ＭＡＣ−ｃ／ｓｈを例に挙げて本発明の特徴を説明する。しかしながら、本発明の内容は、他の適合したＭＡＣ階層エンティティ、特に、現在開発中の高速データパケット伝送用のＭＡＣ階層エンティティにも適用可能である。例えば、本発明の教示及び提案は、アップリンク専用チャネル技法の向上に多様に適用可能であることを予想することができる。
【００６７】
最小の無線接続及びネットワーク資源を利用して多い量のデータを処理する高速データパケット伝送技術が発展するに伴い、無線接続及びネットワーク資源の浪費を防止する本発明及び多様な変形の教示及び提案を適用しようとする意志が当業者にとって明らかであるはずである。
【００６８】
また、本発明は、特定の論理チャネル、伝送チャネル及び物理チャネルに関して説明する。しかしながら、本発明の教示及び提案は、多様な種類の論理チャネル（専用、共用など）と、これらがマッピングされる多様な種類の伝送チャネル（専用、共用など）と、これらがマッピングされる多様な種類の物理チャネル（専用、共用など）にも適用可能である。
【００６９】
図９は、本発明の一実施例によるＭＡＣ−ｃ／ｓｈ  ＰＤＵのフォーマット図である。図９に示すように、本発明に係るＭＡＣ−ｃ／ｓｈのＰＤＵは、一つのＴＴＩの間に一つずつ伝送チャネルを通して伝送され、一つのＭＡＣ−ｃ／ｓｈヘッダーと一つ以上のＭＡＣ−ｃ／ｓｈ  ＳＤＵとから構成される。即ち、ＭＡＣ−ｃ／ｓｈ  ＰＤＵのペイロードは、一つ以上のＭＡＣ−ｃ／ｓｈ  ＳＤＵから構成される。前記ＭＡＣ−ｃ／ｓｈ  ＰＤＵは、ＭＡＣ  ＰＤＵと同一のもので、一つのＴＴＩの間に伝送チャネルを通して伝送されるＭＡＣ  ＰＤＵの個数は一つであり、ＭＡＣ  ＰＤＵに含まれたＭＡＣ−ｃ／ｓｈ  ＳＤＵは、全て一つの端末と関連したものであるべきである。
【００７０】
このような本発明による伝送方式は、従来の方式と異なって、一つのＴＴＩの間にＵＥ−ＩＤフィールドとＵＥ−ＩＤ  ｔｙｐｅフィールドを一つずつだけ伝送しても良いので、無線資源を節約することができる。
【００７１】
図１０ａ〜１０ｅは、本発明の一実施例によるＭＡＣ−ｃ／ｓｈヘッダーのフォーマット図であって、本発明を実現するためのＭＡＣ−ｃ／ｓｈヘッダーフォーマットの類型を示すものである。
【００７２】
図中、ＴＣＴＦは、論理チャネルの種類を示すフィールドである。より詳しくは、ＴＣＴＦは、該当ＭＡＣ−ｃ／ｓｈ  ＳＤＵを伝達した論理チャネルがＣＣＣＨであるか、ＣＴＣＨであるか、ＤＣＣＨ／ＤＴＣＨであるかを示す指示子である。
【００７３】
ＵＥ−ＩＤ  ｔｙｐｅは、ヘッダーに含まれるＵＥ−ＩＤの種類を示すフィールドである。より詳しくは、ＵＥ−ＩＤ  ｔｙｐｅは、Ｃ−ＲＮＴＩであるか、Ｕ−ＲＮＴＩであるか、ＤＳＣＨ−ＲＮＴＩであるか、端末グループ指示子であるか、放送及びマルチキャストサービス指示子であるかを知らせる。
【００７４】
ＵＥ−ＩＤは、該当ＭＡＣ−ｃ／ｓｈ  ＳＤＵを伝送する端末を識別する情報、または特定端末グループを識別する情報、または該当ＵＥと関連した特定サービスを識別する情報を含むフィールドである。
【００７５】
図１０ａに示すＭＡＣ−ｃ／ｓｈヘッダーのフォーマットは、ＭＡＣ−ｃ／ｓｈ  ＳＤＵを伝送する論理チャネルが専用論理チャネルで、共用伝送チャネルが多様な種類のＵＥ−ＩＤを利用しながら多様な種類の論理チャネルにマッピングされている場合に使用可能な形態である。
【００７６】
図１０ｂに示すＭＡＣ−ｃ／ｓｈヘッダーのフォーマットは、ＭＡＣ−ｃ／ｓｈ  ＳＤＵを伝送する論理チャネルが専用論理チャネルで、共用伝送チャネルが多様な種類のＵＥ−ＩＤを利用する場合に使用可能な形態である。
【００７７】
図１０ｃに示すＭＡＣ−ｃ／ｓｈヘッダーのフォーマットは、ＭＡＣ−ｃ／ｓｈ  ＳＤＵを伝送する論理チャネルが専用論理チャネルで、共用伝送チャネルが一つの種類のＵＥ−ＩＤを利用する場合に使用可能な形態である。
【００７８】
図１０ｄに示すＭＡＣ−ｃ／ｓｈヘッダーのフォーマットは、ＭＡＣ−ｃ／ｓｈ  ＳＤＵを伝送する共用伝送チャネルが多様な種類の論理チャネルにマッピングされている場合に使用可能な形態である。
【００７９】
図１０ｅに示すＭＡＣ−ｃ／ｓｈヘッダーのフォーマットは、ＭＡＣ−ｃ／ｓｈ  ＳＤＵを伝送する論理チャネルが専用論理チャネルで、共用伝送チャネルが一つの種類のＵＥ−ＩＤを利用しながら多様な種類の論理チャネルにマッピングされている場合に使用可能な形態である。
【００８０】
図１１ａ〜１１ｂは、本発明の一実施例によるＭＡＣ−ｃ／ｓｈ  ＳＤＵのフォーマット図であって、本発明を実現するためのＭＡＣ−ｃ／ｓｈ  ＳＤＵフォーマットの類型を示すものである。
【００８１】
図１１ａに示すＭＡＣ−ｃ／ｓｈ  ＳＤＵのフォーマットは、ＲＬＣ  ＰＤＵ及びＣ／Ｔフィールドを含む形態であって、前記Ｃ／Ｔフィールドは、ＭＡＣ−ｃ／ｓｈ  ＳＤＵを伝送する論理チャネルが専用論理チャネルで、複数の専用論理チャネルが一つの伝送チャネルに多重化されるときに付加されるフィールドである。
【００８２】
図１１ｂに示すＭＡＣ−ｃ／ｓｈ  ＳＤＵのフォーマットは、ＲＬＣ  ＰＤＵだけで構成された形態であって、ＭＡＣ−ｃ／ｓｈ  ＳＤＵを伝送する論理チャネルが専用論理チャネルで、該専用論理チャネルが一つであるとき、即ち、一つの専用論理チャネルが一つの伝送チャネルにマッピングされるときに使用される。ＲＬＣ  ＰＤＵ自体がＭＡＣ−ｃ／ｓｈ  ＳＤＵである。共用論理チャネルの場合、多重化が発生しないので、ＭＡＣ−ｃ／ｓｈ  ＳＤＵは常にＲＬＣ  ＰＤＵと同一である。ここで、ＭＡＣ−ｃ／ｓｈ  ＳＤＵは、ＭＡＣ−ｄ  ＰＤＵと同一である。
【００８３】
図１２は、本発明の一実施例による端末のＭＡＣ−ｃ／ｓｈ構造図で、図１３は、本発明の一実施例によるＵＴＲＡＮのＭＡＣ−ｃ／ｓｈ構造図である。
【００８４】
図１２及び図１３に示すように、本発明は、通常のＭＡＣ−ｃ／ｓｈ副階層にＭＡＣ−ｃ／ｓｈ  ＳＤＵを結合（または分解）する機能を新たに追加した。ダウンリンク伝送チャネルのために、ＵＴＲＡＮのＭＡＣ−ｃ／ｓｈはＭＡＣ−ｃ／ｓｈ  ＳＤＵ結合機能を行い、端末のＭＡＣ−ｃ／ｓｈはＭＡＣ−ｃ／ｓｈ  ＳＤＵ分解機能を行う。アップリンク伝送チャネルのために、端末のＭＡＣ−ｃ／ｓｈはＭＡＣ−ｃ／ｓｈ  ＳＤＵ結合機能を行い、ＵＴＲＡＮのＭＡＣ−ｃ／ｓｈはＭＡＣ−ｃ／ｓｈ  ＳＤＵ分解機能を行う。
【００８５】
図１４は、本発明の一実施例によるＭＡＣ−ｃ／ｓｈ  ＳＤＵの伝送過程を示す図である。
【００８６】
ダウンリンク伝送の場合、送信側はＵＴＲＡＮ、受信側は端末になる。アップリンク伝送の場合、送信側は端末、受信側はＵＴＲＡＮになる。図１４の上位階層は、ＭＡＣ−ｃ／ｓｈの上位に位置した階層をいうもので、専用論理チャネルが使用される場合、上位階層はＭＡＣ−ｄで、共用論理チャネルが使用される場合、上位階層はＲＬＣである。
【００８７】
まず、送信側の上位階層３１０からＭＡＣ−ｃ／ｓｈ３２０に、ＭＡＣ−ｃ／ｓｈ  ＳＤＵが伝達されると（ステップＳ１０）、前記ＭＡＣ−ｃ／ｓｈ３２０は、一つのＴＴＩ時間の間に伝送すべき複数のＭＡＣ−ｃ／ｓｈ  ＳＤＵを結合してペイロードを形成し、前記ペイロードにＭＡＣ−ｃ／ｓｈヘッダーを付加して一つのＭＡＣ−ｃ／ｓｈ  ＰＤＵを生成する（ステップＳ２０）
前記ＭＡＣ−ｃ／ｓｈ３２０は、ＴＴＩ区間毎に一つのＭＡＣ−ｃ／ｓｈ  ＰＤＵを物理階層サービスを通して受信側のＭＡＣ−ｃ／ｓｈ３３０に伝達する（ステップＳ３０）。
【００８８】
前記ＭＡＣ−ｃ／ｓｈ３３０は、受信されたＭＡＣ−ｃ／ｓｈ  ＰＤＵから前記ＭＡＣ−ｃ／ｓｈヘッダーを除去し、結合されたＭＡＣ−ｃ／ｓｈ  ＳＤＵを分解（Ｄｉｓａｓｓｅｍｂｌｙ）する（ステップＳ４０）。そして、分解されたＭＡＣ−ｃ／ｓｈ  ＳＤＵを上位階層３４０に伝達する（ステップＳ５０）。
【００８９】
もし、前記ＭＡＣ−ｃ／ｓｈヘッダーに端末識別子（ＵＥ−ＩＤ）情報が含まれていると、前記ＭＡＣ−ｃ／ｓｈ３３０は、前記ヘッダーに含まれた端末識別子（ＵＥ−ＩＤ）が自身の属する端末識別子（ＵＥ−ＩＤ）と一致するかを検査する。そして、両方の端末識別子が一致すると、分解されたＳＤＵを前記ヘッダー情報が指示する上位階層のエンティティにそれぞれ伝達する。前記ＭＡＣ−ｃ／ｓｈ  ＳＤＵを前記ヘッダー情報が指示する論理チャネルを通して上位階層に伝達する。反面、両方の端末識別子が一致しないと、前記受信されたＭＡＣ−ｃ／ｓｈ  ＰＤＵは廃棄する。
【００９０】
本発明の一実施例は、端末がプロトコルデータを処理する方法において、一つの伝送時間区間（Ｔｒａｎｓｍｉｓｓｉｏｎ  Ｔｉｍｅ  Ｉｎｔｅｒｖａｌ；ＴＴＩ）の間に上位階層から受けた二つ以上のデータユニットを結合する段階と、前記結合されたデータユニットにヘッダーを付加する段階と、を含むことを特徴とするプロトコルデータ処理方法を提示する。
【００９１】
本発明の他の実施例では、無線通信の端末機において、上位階層エンティティから送られた二つ以上のデータブロックを検出する段階と、前記検出されたデータブロックを結合して結合されたデータブロックを形成する段階と、前記結合されたデータブロックに一つのヘッダーを付加する段階と、前記ヘッダーが付加されたデータブロックを下位階層に送る段階と、を含むことを特徴とするデータブロック処理方法を提示する。
【００９２】
本発明の他の実施例では、無線通信において、上位階層から複数のプロトコルデータユニットを受信する段階と、前記受信されたプロトコルデータユニットを結合してＭＡＣペイロードを形成する段階と、前記ＭＡＣペイロードに一つのヘッダーを付加してＭＡＣ  ＰＤＵを形成する段階と、前記ＭＡＣ  ＰＤＵを下位階層に送る段階と、を含むことを特徴とするプロトコルデータ処理方法を提示する。
【００９３】
本発明の他の実施例では、無線通信システムにおいて、上位階層からＴｒａｎｓｍｉｓｓｉｏｎ  Ｔｉｍｅ  Ｉｎｔｅｒｖａｌ（ＴＴＩ）毎に複数個のプロトコルデータユニットを受信する第１エンティティと、前記受信されたプロトコルデータユニットを結合してＭＡＣペイロードを形成し、ＭＡＣペイロードに一つのヘッダーを付加してＭＡＣ  ＰＤＵを形成し、前記ＭＡＣ  ＰＤＵを下位階層に伝達する第２エンティティと、を含むことを特徴とする共用ＭＡＣ階層を提示する。
【産業上の利用可能性】
【００９４】
以上説明したように、本発明は、端末識別子（ＵＥ−ＩＤ）と端末識別子の種類（ＵＥ−ＩＤ  ｔｙｐｅ）値の重複を避けることができるように、共用伝送チャネルを通して伝送されるプロトコルデータの構造及び伝送方式を新たに定義し、その定義された方式でプロトコルデータを伝送する。
【００９５】
また、本発明は、一つのＴＴＩの間、一つの端末識別子（ＵＥ−ＩＤ）と端末識別子の種類（ＵＥ−ＩＤ  ｔｙｐｅ）値のみが付加されるようにすることで、データ伝送の効率性を高め、無線資源の浪費を大いに減らした。
【００９６】
特に、本発明を端末（ＵＥ）に適用することにより、アップリンクに要求される無線資源の量を相当減らすことができるという結果が得られる。端末（ＵＥ）に要求されるバッテリーの電力及び信号処理を最小化することが常に好ましいので、本発明はより効率的なアップリンクデータ伝送を可能にする。
【００９７】
本発明によるアップリンクの伝送チャネルプロトコルデータ処理体系は、前述した実施例に限定されることなく、本発明の技術思想が許容する範囲内で多様に変形して実施することができる。
【図面の簡単な説明】
【００９８】
【図１】図１は、一般のＵＭＴＳネットワークの構造図。
【図２】図２は、３ＧＰＰ無線接続ネットワーク規格を基盤とした端末とＵＴＲＡＮ間の無線インターフェースプロトコルの構造図。
【図３】図３は、一般のＵＴＲＡＮのＭＡＣ階層構造図。
【図４】図４は、一般の端末のＭＡＣ−ｃ／ｓｈ副階層の構造図。
【図５】図５は、一般のＵＴＲＡＮのＭＡＣ−ｃ／ｓｈ副階層の構造図。
【図６】図６は、一般の端末のＭＡＣ−ｄ副階層の構造図。
【図７】図７は、一般のＵＴＲＡＮのＭＡＣ−ｄ副階層の構造図。
【図８】図８は、一般のＭＡＣ  ＰＤＵのフォーマット図。
【図９】図９は、本発明の一実施例によるＭＡＣ−ｃ／ｓｈ  ＰＤＵのフォーマット図。
【図１０】図１０ａ〜１０ｅは、本発明の一実施例によるＭＡＣ−ｃ／ｓｈヘッダーのフォーマット図。
【図１１】図１１ａ、１１ｂは、本発明の一実施例によるＭＡＣ−ｃ／ｓｈ  ＳＤＵのフォーマット図。
【図１２】図１２は、本発明の一実施例による端末のＭＡＣ−ｃ／ｓｈ副階層の構造図。
【図１３】図１３は、本発明の一実施例によるＵＴＲＡＮのＭＡＣ−ｃ／ｓｈ副階層の構造図。
【図１４】図１４は、本発明の一実施例によるＭＡＣ−ｃ／ｓｈ  ＳＤＵの伝送過程を示す図。
【符号の説明】
【００９９】
１００  ＵＴＲＡＮ
１１０、１２０  無線ネットワーク副システム
１１１  無線ネットワーク制御器
１１２、１１３  Ｎｏｄｅ  Ｂ
２００  コアネットワーク
２１０  ＭＳＣ
２２０  ＧＭＳＣ
２３０  ＳＧＳＮ
２４０  ＧＧＳ
３１０  送信側の上位階層
３２０  送信側のＭＡＣ−ｃ／ｓｈ
３３０  受信側の上位階層
３４０  受信側のＭＡＣ−ｃ／ｓｈ
【図１】
2005536168.tif 000004
【図２】
2005536168.tif 000005
【図３】
2005536168.tif 000006
【図４】
2005536168.tif 000007
【図５】
2005536168.tif 000008
【図６】
2005536168.tif 000009
【図７】
2005536168.tif 000010
【図８】
2005536168.tif 000011
【図９】
2005536168.tif 000012
【図１０】
2005536168.tif 000013
2005536168.tif 000014
【図１２】
2005536168.tif 000015
【図１３】
2005536168.tif 000016
【図１４】
2005536168.tif 000017
【手続補正書】
【提出日】平成16年10月19日(2004.10.19)
【手続補正１】
【補正対象書類名】特許請求の範囲
【補正対象項目名】全文
【補正方法】変更
【補正の内容】
【特許請求の範囲】
【請求項１】
端末がプロトコルデータを処理する方法において、
一つの伝送時間区間（Ｔｒａｎｓｍｉｓｓｉｏｎ  Ｔｉｍｅ  Ｉｎｔｅｒｖａｌ；ＴＴＩ）の間に上位階層から受けた二つ以上のデータユニットを結合する段階と、
前記結合されたデータユニットに一つのヘッダーを付加する段階と、
を含むことを特徴とするプロトコルデータ処理方法。
【請求項２】
前記上位階層は、
特定端末の専用資源を管理するＭｅｄｉｕｍ  Ａｃｃｅｓｓ  Ｃｏｎｔｒｏｌ（ＭＡＣ）副階層であることを特徴とする請求項１記載のプロトコルデータ処理方法。
【請求項３】
前記ヘッダーが付加された結合データユニットをアップリンクチャネルを通して伝送する段階をさらに含むことを特徴とする請求項１記載のプロトコルデータ処理方法。
【請求項４】
前記アップリンクチャネルは、ランダムアクセスチャネルまたは専用チャネルであることを特徴とする請求項３記載のプロトコルデータ処理方法。
【請求項５】
前記アップリンクチャネルを通して伝送する段階は、インバンド（ｉｎ−ｂａｎｄ）で行われることを特徴とする請求項３記載のプロトコルデータ処理方法。
【請求項６】
前記ヘッダーは、端末識別情報からなることを特徴とする請求項１記載のプロトコルデータ処理方法。
【請求項７】
前記ヘッダーは、端末識別子（ＵＥ−ＩＤ）と端末識別子の種類（ＵＥ−ＩＤ  ｔｙｐｅ）とからなることを特徴とする請求項６記載のプロトコルデータ処理方法。
【請求項８】
無線通信の端末機において、
上位階層エンティティから送られた二つ以上のデータブロックを検出する段階と、
前記検出されたデータブロックを結合して結合されたデータブロックを形成する段階と、
前記結合されたデータブロックに一つのヘッダーを付加する段階と、
前記ヘッダーが付加されたデータブロックを下位階層に送る段階と、
を含むことを特徴とするデータブロック処理方法。
【請求項９】
前記上位階層エンティティは、
特定端末の専用資源を管理するＭＡＣエンティティであることを特徴とする請求項８記載のデータブロック処理方法。
【請求項１０】
前記検出段階は、一つの伝送時間区間（Ｔｒａｎｓｍｉｓｓｉｏｎ  Ｔｉｍｅ  Ｉｎｔｅｒｖａｌ；ＴＴＩ）の間に行われることを特徴とする請求項８記載のデータブロック処理方法。
【請求項１１】
前記各段階は、アップリンクチャネルを通して行われることを特徴とする請求項８記載のデータブロック処理方法。
【請求項１２】
前記アップリンクチャネルは、ランダムアクセスチャネルまたは専用チャネルであることを特徴とする請求項１１記載のデータブロック処理方法。
【請求項１３】
前記アップリンクチャネルを通して行われる段階は、インバンドで行われることを特徴とする請求項１１記載のデータブロック処理方法。
【請求項１４】
前記ヘッダーは、端末識別情報からなることを特徴とする請求項８記載のデータブロック処理方法。
【請求項１５】
前記ヘッダーは、端末識別子（ＵＥ−ＩＤ）と端末識別子の種類（ＵＥ−ＩＤ  ｔｙｐｅ）とからなることを特徴とする請求項１４記載のデータブロック処理方法。
【請求項１６】
無線通信において、
上位階層から複数のプロトコルデータユニットを受信する段階と、
前記受信されたプロトコルデータユニットを結合してＭＡＣペイロードを形成する段階と、
前記ＭＡＣペイロードに一つのヘッダーを付加してＭＡＣ  ＰＤＵを形成する段階と、
前記ＭＡＣ  ＰＤＵを下位階層に送る段階と、
を含むことを特徴とするプロトコルデータ処理方法。
【請求項１７】
前記上位階層は、
特定端末の専用資源を管理するＭＡＣ副階層であることを特徴とする請求項１６記載のプロトコルデータ処理方法。
【請求項１８】
前記結合段階は、一つの伝送時間区間（Ｔｒａｎｓｍｉｓｓｉｏｎ  Ｔｉｍｅ  Ｉｎｔｅｒｖａｌ；ＴＴＩ）の間に行われることを特徴とする請求項１６記載のプロトコルデータ処理方法。
【請求項１９】
前記各段階は、アップリンクチャネルを通して行われることを特徴とする請求項１６記載のプロトコルデータ処理方法。
【請求項２０】
前記アップリンクチャネルは、ランダムアクセスチャネルまたは専用チャネルであることを特徴とする請求項１９記載のプロトコルデータ処理方法。
【請求項２１】
前記アップリンクチャネルを通して行われる段階は、インバンドで行われることを特徴とする請求項１９記載のプロトコルデータ処理方法。
【請求項２２】
前記ヘッダーは、端末識別情報からなることを特徴とする請求項１６記載のプロトコルデータ処理方法。
【請求項２３】
前記ヘッダーは、端末識別子（ＵＥ−ＩＤ）と端末識別子の種類（ＵＥ−ＩＤ  ｔｙｐｅ）とからなることを特徴とする請求項２２記載のプロトコルデータ処理方法。
【請求項２４】
無線通信システムにおいて、
上位階層からＴｒａｎｓｍｉｓｓｉｏｎ  Ｔｉｍｅ  Ｉｎｔｅｒｖａｌ（ＴＴＩ）毎に複数のプロトコルデータユニットを受信する第１エンティティと、
前記受信されたプロトコルデータユニットを結合してＭＡＣ  ＳＤＵを形成し、ＭＡＣ
ＳＤＵに一つのヘッダーを付加してＭＡＣ  ＰＤＵを形成し、前記ＭＡＣ  ＰＤＵを下位階層に伝達する第２エンティティと、
を含むことを特徴とする使用者装置のためのＭＡＣ階層のための装置。
【請求項２５】
前記ＭＡＣ階層は、
特定端末の専用資源を管理するＭＡＣ副階層の下位に位置するＭＡＣ副階層であることを特徴とする請求項２４記載の装置。
【請求項２６】
前記上位階層は、
特定端末の専用資源を管理するＭＡＣ副階層であることを特徴とする請求項２４記載の装置。
【請求項２７】
移動通信において、
二つ以上のサービスデータユニット（ＳＤＵ）が結合されたペイロードと、それにヘッダーを付加して形成されたプロトコルデータユニット（ＰＤＵ）を生成し、一つのＴｒａｎｓｍｉｓｓｉｏｎ  Ｔｉｍｅ  Ｉｎｔｅｒｖａｌ（ＴＴＩ）に、前記ＰＤＵを下位階層に伝達する所定のプロトコル階層を含むことを特徴とする移動通信送信システム。
【請求項２８】
前記ヘッダーは、端末識別子（ＵＥ−ＩＤ）に関する情報を含むことを特徴とする請求項２７記載の移動通信送信システム。
【請求項２９】
前記ヘッダーは、前記端末識別子の種類に関する情報をさらに含むことを特徴とする請求項２８記載の移動通信送信システム。
【請求項３０】
前記ヘッダーは、論理チャネルに関する情報を含むことを特徴とする請求項２７記載の移動通信送信システム。
【請求項３１】
前記ＰＤＵは、共用伝送チャネルを通して下位階層に伝送されることを特徴とする請求項２７記載の移動通信送信システム。
【請求項３２】
前記ＳＤＵは、専用論理チャネルを通して上位階層から伝送されることを特徴とする請求項２７記載の移動通信送信システム。
【請求項３３】
前記ＳＤＵは、全て同一の目的地住所を有することを特徴とする請求項２７記載の移動通信送信システム。
【請求項３４】
前記プロトコル階層は、
特定端末の専用資源を管理するＭｅｄｉｕｍ  Ａｃｃｅｓｓ  Ｃｏｎｔｒｏｌ（ＭＡＣ）副階層であることを特徴とする請求項２７記載の移動通信送信システム。
【請求項３５】
前記ＭＡＣ副階層は、ＭＡＣ−ｃ／ｓｈ副階層で、前記ＰＤＵは、ＭＡＣ−ｃ／ｓｈ  ＰＤＵであることを特徴とする請求項３４記載の移動通信送信システム。
【請求項３６】
前記ＭＡＣ副階層は、Ｔｒａｎｓｍｉｓｓｉｏｎ  Ｔｉｍｅ  Ｉｎｔｅｒｖａｌ（ＴＴＩ）の間、一つのＰＤＵのみを下位階層に伝送することを特徴とする請求項３４記載の移動通信送信システム。
【請求項３７】
前記ＳＤＵは、ＭＡＣ−ｃ／ｓｈ  Ｓｅｒｖｉｃｅ  Ｄａｔａ  Ｕｎｉｔ（ＳＤＵ）であることを特徴とする請求項３４記載の移動通信送信システム。
【請求項３８】
前記ＰＤＵは、物理階層サービスを利用して受信側に伝達されることを特徴とする請求項２７記載の移動通信送信システム。
【請求項３９】
一つのＴｒａｎｓｍｉｓｓｉｏｎ  Ｔｉｍｅ  Ｉｎｔｅｒｖａｌ（ＴＴＩ）に対して二つ以上のサービスデータユニット（ＳＤＵ）を結合してペイロードを構成する段階と、
前記ペイロードにヘッダーを付加してプロトコルデータユニット（ＰＤＵ）を生成する段階と、
生成されたＰＤＵを下位階層に伝達する段階と、
物理階層サービスを通して、伝達されたＰＤＵを受信側に伝送する段階と、
を含むことを特徴とする移動通信システムにおけるプロトコルデータ伝送方法。
【請求項４０】
前記ヘッダーは、端末識別子（ＵＥ−ＩＤ）に関する情報を含むことを特徴とする請求項３９記載の移動通信システムにおけるプロトコルデータ伝送方法。
【請求項４１】
前記ヘッダーは、前記端末識別子の種類に関する情報をさらに含むことを特徴とする請求項４０記載の移動通信システムにおけるプロトコルデータ伝送方法。
【請求項４２】
前記ヘッダーは、論理チャネルに関する情報を含むことを特徴とする請求項３９記載の移動通信システムにおけるプロトコルデータ伝送方法。
【請求項４３】
前記ＰＤＵは、共用伝送チャネルを通して下位階層に伝送されることを特徴とする請求項３９記載の移動通信システムにおけるプロトコルデータ伝送方法。
【請求項４４】
前記複数の上位階層ＰＤＵは、専用論理チャネルを通して上位階層から伝送されることを特徴とする請求項３９記載の移動通信システムにおけるプロトコルデータ伝送方法。
【請求項４５】
前記上位階層ＰＤＵは、全て同一の目的地住所を有することを特徴とする請求項３９記載の移動通信システムにおけるプロトコルデータ伝送方法。
【請求項４６】
前記上位階層ＰＤＵは、ＭＡＣ−ｃ／ｓｈ  Ｓｅｒｖｉｃｅ  Ｄａｔａ  Ｕｎｉｔ（ＳＤＵ）であることを特徴とする請求項３９記載の移動通信システムにおけるプロトコルデータ伝送方法。
【請求項４７】
一つのＴｒａｎｓｍｉｓｓｉｏｎ  Ｔｉｍｅ  Ｉｎｔｅｒｖａｌ（ＴＴＩ）で、下位階層から一つのプロトコルデータユニット（ＰＤＵ）の伝達を受け、伝達されたＰＤＵからヘッダーを検出し、複数の上位階層ＰＤＵから構成されたペイロードを分解する所定のプロトコル階層を含むことを特徴とする移動通信受信システム。
【請求項４８】
前記上位階層は、
特定端末の専用資源を管理するＭＡＣ副階層であることを特徴とする請求項４７記載の移動通信受信システム。
【請求項４９】
一つのＴｒａｎｓｍｉｓｓｉｏｎ  Ｔｉｍｅ  Ｉｎｔｅｒｖａｌ（ＴＴＩ）で、下位階層からプロトコルデータユニット（ＰＤＵ）を一つずつ伝達される段階と、
伝達されたＰＤＵをヘッダーとペイロードとに分離する段階と、
前記ペイロードのＳｅｒｖｉｃｅ  Ｄａｔａ  Ｕｎｉｔ（ＳＤＵ）の結合を分解する段階と、
分解されたＳＤＵを上位階層に伝達する段階と、
を含むことを特徴とする移動通信システムにおけるプロトコルデータ伝送方法。
【請求項５０】
前記ヘッダーは、端末識別子（ＵＥ−ＩＤ）に関する情報を含むことを特徴とする請求項４９記載の移動通信システムにおけるプロトコルデータ伝送方法。
【請求項５１】
前記ヘッダーは、前記端末識別子の種類に関する情報をさらに含むことを特徴とする請求項５０記載の移動通信システムにおけるプロトコルデータ伝送方法。
【請求項５２】
前記ヘッダーに端末識別子情報が含まれている場合、前記端末識別子が受信側の端末識別子と一致するかを検査することを特徴とする請求項４９記載の移動通信システムにおけるプロトコルデータ伝送方法。
【請求項５３】
二つの端末識別子が一致すると、分解された上位階層ＰＤＵを前記ヘッダー情報が指示する上位階層エンティティにそれぞれ伝達することを特徴とする請求項５２記載の移動通信システムにおけるプロトコルデータ伝送方法。
【請求項５４】
二つの端末識別子が一致すると、分解された上位階層ＰＤＵを、前記ヘッダー情報が指示する論理チャネルを通して上位階層に伝達することを特徴とする請求項５２記載の移動通信システムにおけるプロトコルデータ伝送方法。
【請求項５５】
前記二つの端末識別子が一致しないと、前記伝達されたＰＤＵを廃棄することを特徴とする請求項５２記載の移動通信システムにおけるプロトコルデータ伝送方法。
【請求項５６】
サイズが同じ複数のＳＤＵを連結する段階と、
前記連結されたＳＤＵにヘッダーを付加してＰＤＵを生成する段階と、
物理チャネル上の一つの伝送時間区間の間、前記ＰＤＵを伝送する段階と、からなり、
前記ヘッダーは、チャネル識別子及びデータ識別子の少なくとも一つを含むことを特徴とする無線通信システムの上向リンク処理方法。
【請求項５７】
前記複数のＳＤＵは、
少なくとも一つの共用論理チャネルから受信されることを特徴とする請求項５６記載の無線通信システムの上向リンク処理方法。
【請求項５８】
前記複数のＳＤＵは、
少なくとも一つの専用論理チャネルから受信されることを特徴とする請求項５６記載の無線通信システムの上向リンク処理方法。
【請求項５９】
前記チャネル識別子は、
共用論理チャネルからのＳＤＵまたは専用論理チャネルからのＳＤＵが伝送されているか否かを決定することを特徴とする請求項５６記載の無線通信システムの上向リンク処理方法。
【請求項６０】
前記チャネル識別子は、
論理チャネルの種類を決定することを特徴とする請求項５６記載の無線通信システムの上向リンク処理方法。
【請求項６１】
前記データ識別子は、
前記ＳＤＵを伝送する端末の何れか一つ、前記ＳＤＵを伝送する端末グループ、及び前記ＳＤＵに関連するサービスを決定することを特徴とする請求項５６記載の無線通信システムの上向リンク処理方法。
【請求項６２】
前記ヘッダーは、
伝送されたデータ識別子の種類を決定する種類識別子を含むことを特徴とする請求項５６記載の無線通信システムの上向リンク処理方法。
【請求項６３】
前記物理チャネルは、
ランダムアクセスチャネル及び専用チャネルの何れか一つであることを特徴とする請求項５６記載の無線通信システムの上向リンク処理方法。
【請求項６４】
サイズが同じ複数のデータブロックを上位階層エンティティから受信する段階と、
一つの連結されたデータブロックを形成するように、前記複数のデータブロックの連結を行う段階と、
上向リンクデータを形成するために、前記連結されたデータブロックにヘッダーを付加する段階と、
前記上向リンクデータを下位階層エンティティに伝送する段階と、からなり、
前記ヘッダーは、チャネル識別子及びデータ識別子の少なくとも一つを含むことを特徴とする無線通信システムの上向リンクチャネルを経由するデータブロック処理方法。
【請求項６５】
前記上向リンクデータは、共有された伝送チャネルの下位階層エンティティに伝送され、前記データ識別子は、共用論理チャネルからのデータブロックまたは専用論理チャネルからのデータブロックが伝送されているか否かを決定することを特徴とする請求項６４記載の無線通信システムの上向リンクチャネルを経由するデータブロック処理方法。
【請求項６６】
前記複数のデータブロックは、
少なくとも一つの共用論理チャネルから受信されることを特徴とする請求項６４記載の無線通信システムの上向リンクチャネルを経由するデータブロック処理方法。
【請求項６７】
前記複数のデータブロックは、
少なくとも一つの専用論理チャネルから受信されることを特徴とする請求項６４記載の無線通信システムの上向リンクチャネルを経由するデータブロック処理方法。
【請求項６８】
前記チャネル識別子は、
共用論理チャネルからのデータブロックまたは専用論理チャネルからのデータブロックが伝送されているか否かを決定することを特徴とする請求項６４記載の無線通信システムの上向リンクチャネルを経由するデータブロック処理方法。
【請求項６９】
前記チャネル識別子は、
論理チャネルの種類を決定することを特徴とする請求項６４記載の無線通信システムの上向リンクチャネルを経由するデータブロック処理方法。
【請求項７０】
前記データ識別子は、
前記データブロックを伝送する端末の何れか一つ、前記データブロックを伝送する端末グループ、及び前記データブロックに関連するサービスを決定することを特徴とする請求項６４記載の無線通信システムの上向リンクチャネルを経由するデータブロック処理方法。
【請求項７１】
前記ヘッダーは、
伝送されたデータ識別子の種類を決定する種類識別子を含むことを特徴とする請求項６４記載の無線通信システムの上向リンクチャネルを経由するデータブロック処理方法。
【請求項７２】
前記上向リンクチャネルは、
ランダムアクセスチャネル及び専用チャネルの何れか一つであることを特徴とする請求項６４記載の無線通信システムの上向リンクチャネルを経由するデータブロック処理方法。
【請求項７３】
無線通信システムの上向リンク処理のための端末において、
サイズが同じ複数のデータブロックを上位階層エンティティから受信する受信モジュールと、
一つの連結されたデータブロックを形成するように、前記受信された複数のデータブロックを連結する結合モジュールと、
上向リンクデータを生成するために、前記連結されたデータブロックにヘッダーを付加するヘッダーモジュールと、
物理チャネル上の一つの伝送時間区間の間、前記上向リンクデータを下位階層エンティティに伝送する伝送モジュールと、から構成され、
前記ヘッダーは、チャネル識別子及びデータ識別子の少なくとも一つを含むことを特徴とする端末。
【請求項７４】
前記結合モジュールは、
少なくとも一つの共用論理チャネルからデータブロックを受信することを特徴とする請求項７３記載の端末。
【請求項７５】
前記結合モジュールは、
少なくとも一つの専用論理チャネルからデータブロックを受信することを特徴とする請求項７３記載の端末。
【請求項７６】
前記チャネル識別子は、
共用論理チャネルからのデータブロックまたは専用論理チャネルからのデータブロックが伝送されているか否かを決定することを特徴とする請求項７３記載の端末。
【請求項７７】
前記チャネル識別子は、
論理チャネルの種類を決定することを特徴とする請求項７３記載の端末。
【請求項７８】
前記データ識別子は、
前記データブロックを伝送する端末の何れか一つ、前記データブロックを伝送する端末グループ、及び前記データブロックに関連するサービスを決定することを特徴とする請求項７３記載の端末。
【請求項７９】
前記ヘッダーモジュールは、
伝送されたデータ識別子の種類を指示する種類識別子をヘッダーに含めることを特徴とする請求項７３記載の端末。
【請求項８０】
前記データブロックはＳＤＵで、前記上向リンクデータはＰＤＵであることを特徴とする請求項７３記載の端末。
【請求項８１】
物理チャネル上の一つの伝送時間区間の間、ＰＤＵを受信する段階と、
前記受信されたＰＤＵからヘッダーを抽出する段階と、
前記ＰＤＵが含んでいる複数の連結されたＳＤＵを分解し、各ＳＤＵを上位階層に伝送する段階と、からなり、
前記ＰＤＵは、一つのヘッダーと、サイズが同じ複数の連結されたＳＤＵと、から構成され、前記ヘッダーは、チャネル識別子及びデータ識別子の少なくとも一つを含むことを特徴とする無線通信システムの上向リンク処理方法。
【請求項８２】
前記データが処理されたか否かを判定するために、前記ヘッダーのデータ識別子を調べる段階を更に含むことを特徴とする請求項８１記載の無線通信システムの上向リンク処理方法。
【請求項８３】
専用データが伝送されたか否かを確認するために、ヘッダーのチャネル識別子を調べ、少なくとも一つの専用論理チャネルに前記専用データをマッピングする段階を更に含むことを特徴とする請求項８１記載の無線通信システムの上向リンク処理方法。
【請求項８４】
共用データが伝送されたか否かを確認するために、ヘッダーのチャネル識別子を調べ、少なくとも一つの共用論理チャネルに前記共用データをマッピングする段階を更に含むことを特徴とする請求項８１記載の無線通信システムの上向リンク処理方法。
【請求項８５】
前記ヘッダーは、
データ識別子及びデータ種類識別子を含み、前記データが処理されたか否かを判定するために、前記データ識別子及びデータ種類識別子を調べることを特徴とする請求項８１記載の無線通信システムの上向リンク処理方法。
【請求項８６】
前記物理チャネルは、
ランダムアクセスチャネル及び専用チャネルの何れか一つであることを特徴とする請求項８１記載の無線通信システムの上向リンク処理方法。
【請求項８７】
物理チャネル上の一つの伝送時間区間の間、上向リンクデータを受信する受信モジュールと、
前記受信された上向リンクデータからヘッダーを抽出する検出モジュールと、
前記上向リンクデータが含んでいる複数の連結されたデータブロックを分解し、各データブロックを上位階層に伝送する逆多重化モジュールと、から構成され、
前記上向リンクデータは、一つのヘッダーと、サイズが同じ複数の連結されたデータブロックと、から構成され、前記ヘッダーは、チャネル識別子及びデータ識別子の少なくとも一つを含むことを特徴とする無線通信システムの上向リンク処理のための網装置。
【請求項８８】
前記検出モジュールは、
前記上向リンクデータが処理されたか否かを判定するために、前記ヘッダーのデータ識別子を調べることを特徴とする請求項８７記載の無線通信システムの上向リンク処理のための網装置。
【請求項８９】
前記逆多重化モジュールは、
少なくとも一つの専用論理チャネルから伝達されたデータブロックが伝送されたか否かを確認するために、ヘッダーのチャネル識別子を調べ、前記データブロックを少なくとも一つの専用論理チャネルにマッピングすることを特徴とする請求項８７記載の無線通信システムの上向リンク処理のための網装置。
【請求項９０】
前記逆多重化モジュールは、
少なくとも一つの共用論理チャネルから伝達されたデータブロックが伝送されたか否かを確認するために、ヘッダーのチャネル識別子をチェエクし、前記データブロックを少なくとも一つの共用論理チャネルにマッピングすることを特徴とする請求項８７記載の無線通信システムの上向リンク処理のための網装置。
【請求項９１】
前記ヘッダーは、データ識別子及びデータ種類識別子を含み、
前記検出モジュールは、前記データが処理されたか否かを判定するために、前記データ識別子及びデータ種類識別子を調べることを特徴とする請求項８７記載の無線通信システムの上向リンク処理のための網装置。
【請求項９２】
前記データブロックはＳＤＵで、前記上向リンクデータはＰＤＵであることを特徴とする請求項８７記載の無線通信システムの上向リンク処理のための網装置。
【国際調査報告】
2005536168.tif 000018